(57)【特許請求の範囲】
【請求項１】
液状食品を収容する容器用又は可撓性ポーチに対するストロー用のキャップ（１）であって、
中心軸（Ｘ）に沿って延びる管状の中心体（２）であって、該中心体（２）の頂部がベース（６）によって閉じられた、前記中心体（２）と、
前記中心体（２）に接合された環状壁（１０）であって、前記中心体（２）の前記ベース（６）側に位置する自由上縁部（１０ｂ）と、波状のパターンを有する自由下縁部（１０ａ）を有する、前記環状壁（１０）と、
前記キャップ（１）が回されて容器から外されたときに破れる保証シール（８）であって、前記ベース（６）とは反対側で前記中心体（２）の下端部に位置決めされる、前記保証シール（８）と、
を備え、
前記保証シール（８）は、前記自由下縁部（１０ａ）の前記波状のパターンの谷（２０）の部分を介して視認可能である、前記キャップ（１）。
【請求項２】
前記環状壁（１０）は、前記中心軸（Ｘ）の周りに延び、前記中心体（２）を外側から取り囲み、前記中心体（２）が、前記容器又は前記ストローに回して締めるためのねじ山（４）を内側に備える、請求項１に記載のキャップ（１）。
【請求項３】
前記保証シールが、前記自由下縁部（１０ａ）内に径方向に収容される、請求項２に記載のキャップ。
【請求項４】
前記環状壁（１０）がキャップ状である、請求項１から３までのいずれか一項に記載のキャップ。
【請求項５】
前記自由下縁部（１０ａ）の前記波状のパターンが、一続きの谷（２０）及び山（３０）によって形成される、請求項１から４までのいずれか一項に記載のキャップ。
【請求項６】
前記谷（２０）に対して底部（２２）が画定され、前記山（３０）に対して頂部（３２）が画定され、前記底部（２２）及び前記頂部（３２）が丸められている、請求項５に記載のキャップ。
【請求項７】
−  前記山（３０）の高さ（Ｃ）を、前記中心軸（Ｘ）に沿って前記山（３０）の前記頂部（３２）を自由上縁部（１０ｂ）から離隔する距離として画定し、
−  前記谷（２０）の深さ（Ｐ）を、前記中心軸（Ｘ）に沿って前記山（３０）の前記頂部（３２）と前記谷（２０）の底部（２２）との間の距離として画定すると、
特性比がＲ＝Ｃ／Ｐと画定され、Ｒが１．５〜２．５である、
請求項５又は６に記載のキャップ。
【請求項８】
−  前記山（３０）の高さ（Ｃ）を、前記中心軸（Ｘ）に沿って前記山（３０）の前記頂部（３２）を自由上縁部（１０ｂ）から離隔する距離として画定し、
−  前記谷（２０）の深さ（Ｐ）を、前記中心軸（Ｘ）に沿って前記山（３０）の前記頂部（３２）と前記谷（２０）の底部（２２）との間の距離として画定すると、
特性比がＲ＝Ｃ／Ｐと画定され、Ｒが２に等しい、
請求項５又は６に記載のキャップ。
【請求項９】
−  ピッチ（Ｐ）を、第１の山（３０）の前記頂部（３２）と前記第１の山（３０）に隣接する次の谷（２０）の底部（２２）との間の円周方向の距離として画定し、
−  Ｌを、前記自由下縁部（１０ａ）の全体的な円周の長さ（Ｌ）として画定すると、
さらなる特性比がＱ＝Ｌ／Ｐで画定され、Ｑが６〜１２である、
請求項５から８までのいずれか一項に記載のキャップ。
【請求項１０】
−  ピッチ（Ｐ）を、第１の山（３０）の前記頂部（３２）と前記第１の山（３０）に隣接する次の谷（２０）の底部（２２）との間の円周方向の距離として画定し、
−  Ｌを、前記自由下縁部（１０ａ）の全体的な円周の長さ（Ｌ）として画定すると、
さらなる特性比がＱ＝Ｌ／Ｐで画定され、Ｑが８に等しい、
請求項５から８までのいずれか一項に記載のキャップ。
【請求項１１】
前記環状壁（１０）が、前記ベース（６）に隣接して開口（１４）を有し、複数の角度的に隔置されたタブ（１６）によって前記中心体（２）に接合され、前記タブ（１６）が、前記中心体（２）から径方向に外側へ突出し、前記中心体を前記環状壁（１０）に接合する、請求項１から１０までのいずれか一項に記載のキャップ。
【請求項１２】
プラスチック材料で単体として作製される、請求項１から１１までのいずれか一項に記載のキャップ。
【発明の詳細な説明】
【技術分野】
【０００１】
本発明は、容器用のプラスチック・キャップ、詳細には保証シールを備えた、たとえば子供向けの液状食品の容器用のキャップに関する。
【背景技術】
【０００２】
知られているように、容器用のほとんどのキャップは、特に液状食品を収容することを目的とする場合、保証シールを備えており、保証シールは弱くした部分を有し、容器キャップを回して外した結果、この部分が破れて、容器がすでに開けられていることを強調する。
【０００３】
しかし、利用者は、保証シールの実際の状態にそれほど注意しないことがある。保証シールが破れていることを利用者が確認するには、容器又はボトルをひっくり返してシールの外観を注意深く調べる必要があることが多い。これは、そのような管理を散発的又は無作為にしか実行しない利用者にとって、保証シールの状態がすぐに見やすいものではないことを意味する。
【先行技術文献】
【特許文献】
【０００４】
【特許文献１】国際公開公報第ＷＯ２００８／０５０３６１号
【０００５】
本発明の目的は、従来技術を参照して述べた欠点を克服することである。
【発明の概要】
【課題を解決するための手段】
【０００６】
そのような目的は、請求項１によって作製されたキャップによって実現される。
【０００７】
本発明によるキャップの特性及び利点は、添付の図面を参照しながら非限定的な例として述べる以下の説明から明らかであろう。
【図面の簡単な説明】
【０００８】
【図１】高い観察点から見た本発明によるキャップを示す図である。
【図２】低い観察点から見た図１のキャップの図である。
【図３】図１のキャップの上面図である。
【図４】図１のキャップの側面図である。
【図５】図１のキャップの長手方向の横断面図である。
【図６】図１のキャップの長手方向の横断面図である。
【発明を実施するための形態】
【０００９】
添付の図面を参照すると、参照番号１は、フルーツ・ジュース及び他の飲料など、特に子供向けの液体の容器用の好ましくはプラスチックから作製されたキャップを全体として示す。
【００１０】
キャップ１は、中心軸Ｘに沿って延びる管状の中心体２を備える。
【００１１】
中心体２は、好ましくは外側が円筒形の形状であり、容器のネック又は可撓性ポーチのストローに回して締めるためのねじ山４を内側に備える。
【００１２】
中心体は、ベース６によって頂部で閉じられている。
【００１３】
さらに、キャップ１は、キャップを回して容器から外したときに破れるのに適した保証シール８を備え、保証シール８は、たとえば、ベース６とは反対側で中心体２の下端部に位置決めされる。
【００１４】
保証シール８の構造及び機能的な詳細は、たとえば、本出願人名による国際特許出願ＷＯ２００８／０５０３６１に記載されている。
【００１５】
キャップ１は、中心体２の外側で前記中心軸Ｘの周りに延びて中心体２を環状に、たとえば連続的に取り囲む環状壁１０をさらに備える。
【００１６】
好ましくは、環状壁１０は、キャップの把持部であり、すなわち、利用者が把持してキャップを回して容器に締める／容器から外すことを目的とする部分である。
【００１７】
好ましい実施例によれば、環状壁１０は、底部（保証シールの箇所）から頂部（中心体２のベース６が位置する）の方へ先細りしたキャップ形状を有する。
【００１８】
環状壁１０は、自由下縁部１０ａと、中心体２のベース６に位置する自由上縁部１０ｂとを有する。
【００１９】
たとえば、上縁部１０ｂは自由縁部であり、たとえばベース６及び中心体２を径方向に閉じるように、好ましくは円形状の開口１４を画定する。
【００２０】
中心体２は、環状壁１０に接合される。
【００２１】
たとえば、キャップ１は、中心体２から径方向に外側へ突出する複数のタブ１６を備え、これらのタブ１６が前記中心体を環状壁１０に接合する。
【００２２】
好ましくは、タブ１６は、等間隔に４つ配置される。
【００２３】
環状壁１０は、中心体から径方向に隔置され、したがって、角度的に隔置されたタブにより、空気の通路に開かれた通路がもたらされ、たとえば子供によるキャップの誤飲に起因する窒息事故を防止する。
【００２４】
本発明によれば、自由下縁部１０ａは、波状のパターンを有し、すなわち一続きの谷２０及び山３０から形成される。
【００２５】
前記谷２０に対して、上縁部１０ｂに最も近傍の点として、底部２２が画定され、前記山３０に対して、上縁部１０ｂから最も距離をあけた点として、頂部３２が画定される。
【００２６】
好ましくは、谷２０及び山３０は、規則的に連続し、たとえば交互に位置する。図示の実施例では、４つの山３０が４つの谷２０と交互に設けられている。
【００２７】
好ましくは、自由下縁部１０ａは、鋭い角のない規則的なパターンを有し、特に谷２０の底部２２は丸められ、山３０の頂部３２も丸められている。
【００２８】
頂上３０の高さＣを、中心軸Ｘに沿って山３０の頂部３２を上縁部１０ｂから離隔する距離として画定し、谷２０の高さＡを、中心軸Ｘに沿って山３０の頂部３２と谷２０の底部２２との間の距離として画定すると、特性比Ｒ＝Ｃ／Ａが画定される。
【００２９】
好ましくは、特性比Ｒは１．５〜２．５であり、好ましくは２に等しい。
【００３０】
ピッチＰを、第１の山３０の頂部３２と第１の山３０に隣接する次の谷２０の底部２２との間の円周方向の距離として画定し、Ｌを、下縁部が対向する円周の長さとして画定すると、さらなる特性比Ｑ＝Ｌ／Ｐが画定される。
【００３１】
好ましくは、さらなる特性比Ｑは、６（３つの谷及び３つの山）〜１２（６つの谷及び６つの山）であり、好ましくは８（４つの谷及び４つの山）である。
【００３２】
さらに好ましくは、保証シール８は、自由下縁部１０ａ内に径方向に収容され、すなわち、前記自由下縁部１０ａは、保証シールとは異なる高さに位置決めされた場合でも、前記保証シールを環状に取り囲む。
【００３３】
さらに好ましくは、キャップは、たとえば成形によって、プラスチック材料で一体として作製される。
【００３４】
革新的なことに、本発明によるキャップは、従来技術を参照して述べた保証シールの視認性が不十分であるという欠点を克服する。
【００３５】
実際には、谷の存在により、容器又はボトルがひっくり返されていない場合でも、保証シールは見えるところで維持される。
【００３６】
さらに同時に、山の存在により、キャップを回して容器から外すために把持されるキャップの把持部として環状壁が作用するとき、環状壁に対して十分な把持表面を利用することが可能になる。
【００３７】
当業者であれば、起こり得る要件を満たすために上記のキャップに修正を加えることができることが明らかである。
【００３８】
たとえば、一実施例の変形形態（図示せず）によれば、自由下縁部は、一連の凹凸区間など、互いに鋭い角を形成する一連の区間によって画定されたパターンを有する。
【００３９】
さらなる実施例によれば、環状壁は、球面のキャップ形状を有する。
【００４０】
そのような変形形態もまた、以下の特許請求の範囲によって定義される保護範囲内に含まれる。
【図１】
0006284935.tif 000002
【図２】
0006284935.tif 000003
【図３】
0006284935.tif 000004
【図４】
0006284935.tif 000005
【図５】
0006284935.tif 000006
【図６】
0006284935.tif 000007